(57)【特許請求の範囲】
【請求項１】
第一スライドレール、前記第一スライドレールにスライド可能に収容される第二スライドレール、前記第一スライドレールと前記第二スライドレールとの間にスライド可能に設けられるボールブラケット、前記第一スライドレールに固定されるロック部材及び前記第二スライドレールに固定される位置決め部材を備えてなるスライドレール装置であって、
前記ロック部材は、係合固定部及び弾性押圧部を備え、前記位置決め部材は、位置決め部を備え、前記ボールブラケットの一端には、開口が設けられ、前記ボールブラケットは、前記開口に向かって突出する係合部を備え、前記第一スライドレールは、貫通孔及び前記貫通孔に近い突出シートを備え、
前記ロック部材の前記係合固定部は、前記第一スライドレールの前記貫通孔を貫通して、前記ボールブラケットの前記係合部と係合し、前記第一スライドレールの前記突出シートは、前記ボールブラケットの前記開口を貫通して、前記位置決め部材の前記位置決め部と係合し、
前記第二スライドレールを前記第一スライドレールに対してスライドさせる場合、前記ロック部材を押圧して弾性変形させることにより、前記ボールブラケットの前記係合部と前記ロック部材の前記係合固定部との係合状態を解除し、前記ロック部材の前記弾性押圧部は前記位置決め部材を押圧して、前記位置決め部材を弾性変形させることにより、前記第一スライドレールの前記突出シートと前記位置決め部材の前記位置決め部との係合状態を解除することを特徴とするスライドレール装置。
【請求項２】
前記ロック部材の前記係合固定部には係合フックが設けられ、前記係合フックは、係合スロット及び前記係合フックの末端に位置する楔形部を備え、前記楔形部には斜面が設けられ、
前記ボールブラケットの前記係合部が前記ロック部材の前記係合フックの前記斜面を押圧して、前記係合フックを弾性変形させると、前記ボールブラケットの前記係合部は、前記係合フックの前記楔形部を越えて、前記係合フックの前記係合スロットに係合することを特徴とする請求項１に記載のスライドレール装置。
【請求項３】
前記位置決め部材は、弾性シートであり、前記位置決め部は、前記位置決め部材の一端に設けられ、前記位置決め部材の他端には、固定部が設けられ、
前記固定部には、前記位置決め部材を前記第二スライドレールに固定するための複数の固定孔が設けられることを特徴とする請求項１または２に記載のスライドレール装置。
【請求項４】
前記位置決め部の両側には、前記第一スライドレールの前記突出シートに係合するための位置決めスロットが設けられることを特徴とする請求項１から３のいずれか一項に記載のスライドレール装置。
【請求項５】
前記係合固定部は、前記ロック部材の一端に設けられ、前記ロック部材の他端には、固定部が設けられ、前記弾性押圧部は、前記ロック部材の前記係合固定部に近い箇所に設けられ、
前記ロック部材の前記固定部には、前記ロック部材を前記第一スライドレールに固定するための固定孔が設けられることを特徴とする請求項１から４のいずれか一項に記載のスライドレール装置。
【発明の詳細な説明】
【技術分野】
【０００１】
本発明は、スライドレール装置に関するものである。
【背景技術】
【０００２】
スライドレール装置は、通常第一スライドレール及び第二スライドレールを備える。サーバーキャビネットにおいて、第一スライドレールはキャビネットに固定され、第二スライドレールはサーバーの両側に固定されて、第二スライドレールが第一スライドレール内にスライド可能に収容されることにより、第二スライドレールは第一スライドレールの軸方向に沿って第一スライドレールに対して往復スライドすることができる。従ってサーバーは、スライドレール装置によってキャビネットから自由に引き出されることができる。従来の技術において、第二スライドレールと第一スライドレールとの間には、ボールブラケットが設けられて、第二スライドレールは第一スライドレールに対して安定して往復スライドすることができる。
【発明の概要】
【発明が解決しようとする課題】
【０００３】
しかし、第二スライドレールが第一スライドレール内でスライドする際、ボールブラケット及び第二スライドレールが同時に運動することができず、従って第二スライドレールと第一スライドレールとの間の摩擦が増大して、スライドレールの使用寿命に影響する。
【０００４】
本発明の目的は、前記課題を解決し、ボールブラケット及び第二スライドレールが同時に運動することができるスライドレール装置を提供することである。
【課題を解決するための手段】
【０００５】
本発明に係るスライドレール装置は、第一スライドレール、前記第一スライドレールにスライド可能に収容される第二スライドレール、前記第一スライドレールと前記第二スライドレールとの間にスライド可能に設けられるボールブラケット、前記第一スライドレールに固定されるロック部材及び前記第二スライドレールに固定される位置決め部材を備え、前記ロック部材は、係合固定部及び弾性押圧部を備え、前記位置決め部材は、位置決め部を備え、前記ボールブラケットの一端には、開口が設けられ、前記ボールブラケットは、前記ボールブラケットの上下側の縁部から前記開口に向かって突出する係合部を備え、前記第一スライドレールは、貫通孔及び前記貫通孔に近い突出シートを備え、前記ロック部材の係合固定部は、前記第一スライドレールの貫通孔を貫通して、前記ボールブラケットの係合部と係合し、前記第一スライドレールの突出シートは、前記ボールブラケットの開口を貫通して、前記位置決め部材の位置決め部と係合し、前記第二スライドレールを前記第一スライドレールに対してスライドさせる場合、前記ロック部材を押圧して弾性変形させることにより、前記ボールブラケットの係合部と前記ロック部材の係合固定部との係合状態を解除し、前記ロック部材の弾性押圧部は前記位置決め部材を押圧して、前記位置決め部材を弾性変形させることにより、前記第一スライドレールの突出シートと前記位置決め部材の位置決め部との係合状態を解除する。
【発明の効果】
【０００６】
従来の技術に比べて、本発明のスライドレール装置において、第一スライドレールに第二スライドレールを推進する前に、ボールブラケットは、第一スライドレールに固定された前記ロック部材に係合して、前記第二スライドレールを前記第一スライドレールに安定して推進することができ、前記第二スライドレールと前記第一スライドレールとのロック状態を解除するとともに、前記ボールブラケットと前記第一スライドレールとのロック状態も解除されるので、前記ボールブラケット及び前記第二スライドレールは、同時に移動する。
【図面の簡単な説明】
【０００７】
【図１】本発明の実施形態に係るスライドレール装置の分解図である。
【図２】図１に示すスライドレール装置の別の視角から見た分解図である。
【図３】図１に示すスライドレール装置の組立図である。
【図４】本発明の実施形態に係るスライドレール装置の第一使用状態を示す図である。
【図５】図４に示すスライドレール装置のＩＶ部分の拡大図である。
【図６】本発明の実施形態に係るスライドレール装置の第二使用状態を示す図である。
【図７】図６に示すスライドレール装置のＶＩＩ部分の拡大図である。
【発明を実施するための形態】
【０００８】
以下、図面を参照して、本発明の実施形態について説明する。
【０００９】
図１及び図２を参照すると、本発明の実施形態に係るスライドレール装置は、第一スライドレール１０と、第二スライドレール２０と、ボールブラケット３０と、位置決め部材４０と、ロック部材５０と、を備える。
【００１０】
前記第一スライドレール１０は、断面が略Ｃ字状である細長いスライドレールであって、側壁１１と、前記側壁１１の上下側から延在して形成される上壁及び下壁と、を備える。前記側壁１１の一端に近い箇所には、貫通孔１３が設けられる。前記側壁１１の前記貫通孔１３に近い箇所には、前記第一スライドレール１０の内側へ突出する対向する２つの突出シート１５が設けられる。前記側壁１１の前記突出シート１５に近い箇所には、前記第一スライドレール１０の外側へ突出するリベット柱１７が設けられる。
【００１１】
前記第二スライドレール２０は、断面が略Ｃ字状である細長いスライドレールであって、側壁と、前記側壁の上下側から延在して形成される上壁及び下壁と、を備える。前記第二スライドレール２０の側壁には、前記第二スライドレール２０の内側へ突出する複数のリベット柱２１が設けられる。
【００１２】
前記ボールブラケット３０は、断面が略Ｃ字状である細長いスライドレールであって、側壁３１と、前記側壁３１の上下側から延在して形成される上壁及び下壁と、を備える。前記上壁及び前記下壁には、ボールを収容するための複数のボール収容部が設けられる。前記側壁３１の一端には、開口３１１が設けられており、前記側壁３１の上下側の縁部から前記開口３１１に向かって対向する２つの係合部３３が突出して形成される。
【００１３】
前記位置決め部材４０は、弾性シートであり、その両端に位置する固定部４１及び位置決め部４３を備える。前記固定部４１には、複数の固定孔４１１が設けられる。前記位置決め部４３の長手方向中央部の両側には、２つの位置決めスロット４３１が対称に設けられる。
【００１４】
前記ロック部材５０は、その両端に位置する固定部５１及び係合固定部５３を備える。前記固定部５１には、固定孔が設けられる。前記係合固定部５３の両側には、２つの係合フック５３１が対称に設けられ、各々の前記係合フック５３１は、係合スロット５３３及び前記係合フック５３１の末端に位置する楔形部５３５を備える。前記楔形部５３５には、斜面５３７が設けられる。前記ロック部材５０の前記係合固定部５３に近い箇所には、弾性押圧部５５が突出して形成される。
【００１５】
図３〜図５を参照すると、組み立てる場合、先ず、第二スライドレール２０のリベット柱２１を前記位置決め部材４０の固定部４１の固定孔４１１にリベット打ちし、前記第一スライドレール１０のリベット柱１７を前記ロック部材５０の固定部５１の固定孔にリベット打ちすることで、前記ロック部材５０の係合固定部５３及び弾性押圧部５５は、前記第一スライドレール１０の貫通孔１３内に位置する。次に、前記第一スライドレール１０に前記ボールブラケット３０を推進すると、前記ボールブラケット３０の２つの係合部３３は、前記ロック部材５０の２つの係合フック５３１の斜面５３７を押圧して、２つの前記係合フック５３１を弾性変形させ、前記ボールブラケット３０の２つの係合部３３は、前記ロック部材５０の２つの係合フック５３１の楔形部５３５を越えて、２つの係合フック５３１の係合スロット５３３に係合して、前記ボールブラケット３０は前記第一スライドレール１０に取り付けられ、前記ボールブラケット３０の開口３１１は、ちょうど前記第一スライドレール１０の貫通孔１３に対応する。最後に、前記ボールブラケット３０に前記第二スライドレール２０を推進すると、前記ボールブラケット３０の開口３１１を貫通した前記第一スライドレール１０の２つの突出シート１５は、前記位置決め部材４０の位置決め部４３の２つの位置決めスロット４３１に係合して、前記第二スライドレール２０は前記第一スライドレール１０に対して位置決めされる。
【００１６】
図６及び図７を参照すると、前記第二スライドレール２０を前記第一スライドレール１０に対してスライドさせる場合、前記ロック部材５０の弾性押圧部５５を押圧して、前記ロック部材５０を前記第一スライドレール１０の側壁１１に垂直な方向に沿って弾性変形させると、前記ボールブラケット３０の２つの係合部３３は、前記ロック部材５０の２つの係合フック５３１の係合スロット５３３から離脱して、前記ボールブラケット３０と前記第一スライドレール１０とのロック状態を解除するとともに、前記ロック部材５０の弾性押圧部５５は、前記位置決め部材４０の位置決め部４３を押圧して、前記位置決め部材４０を前記第一スライドレール１０の側壁１１に垂直な方向に沿って弾性変形させ、前記第一スライドレール１０の２つの突出シート１５は、前記位置決め部材４０の位置決め部４３の２つの位置決めスロット４３１から離脱して、前記第二スライドレール２０と前記第一スライドレール１０とのロック状態を解除する。従って前記第二スライドレール２０及び前記ボールブラケット３０は、前記第一スライドレール１０に対して同時に移動することができる。
【００１７】
本発明のスライドレール装置において、前記第一スライドレール１０に前記第二スライドレール２０を推進する前に、前記ボールブラケット３０は、前記第一スライドレール１０に固定された前記ロック部材５０に係合しているので、前記第二スライドレール２０を前記第一スライドレール１０に安定して推進することができる。前記第二スライドレール２０と前記第一スライドレール１０とのロック状態を解除するとともに、前記ボールブラケット３０と前記第一スライドレール１０とのロック状態も解除されるので、前記ボールブラケット３０及び前記第二スライドレール２０は、同時に移動する。
【００１８】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１９】
１０  第一スライドレール
１１，３１  側壁
１３  貫通孔
１５  突出シート
１７，２１  リベット柱
２０  第二スライドレール
３０  ボールブラケット
３３  係合部
４０  位置決め部材
４１，５１  固定部
４３  位置決め部
５０  ロック部材
５３  係合固定部
５５  弾性押圧部
３１１  開口
４１１  固定孔
４３１  位置決めスロット
５３１  係合フック
５３３  係合スロット
５３５  楔形部
５３７  斜面
【図１】
0005363551.tif 000002
【図２】
0005363551.tif 000003
【図３】
0005363551.tif 000004
【図４】
0005363551.tif 000005
【図５】
0005363551.tif 000006
【図６】
0005363551.tif 000007
【図７】
0005363551.tif 000008